(57)【要約】【課題】扉を閉じた際の衝撃を抑制することが可能な冷蔵庫を提供する。【解決手段】この冷蔵庫１は、冷蔵室４を有する本体部２と、冷蔵室４の開口部４ａを開閉する扉３と、を備える。扉３のうちの冷蔵室４の開口部４ａ周縁に対応する部分には、冷蔵室４の開口部４ａ周縁に接触するパッキン部３ａと、扉３を閉じる際の衝撃を吸収する緩衝部３ｂとが設けられている。【選択図】図２
2014013112.tif 000002
【特許請求の範囲】
【請求項１】
貯蔵室を有する本体部と、
前記貯蔵室の開口部を開閉する扉と、
を備え、
前記扉の前記貯蔵室の開口部周縁に対応する部分には、前記貯蔵室の開口部周縁に接触するパッキン部と、前記扉を閉じる際の衝撃を吸収する緩衝部とが設けられていることを特徴とする冷蔵庫。
【請求項２】
前記扉を閉じる際に、前記パッキン部よりも前に前記緩衝部が前記本体部に接触することを特徴とする請求項１に記載の冷蔵庫。
【請求項３】
前記緩衝部は前記パッキン部よりも前記本体部側に突出するように形成されていることを特徴とする請求項２に記載の冷蔵庫。
【請求項４】
前記緩衝部は前記パッキン部と一体に形成されていることを特徴とする請求項１〜３のいずれか１項に記載の冷蔵庫。
【請求項５】
前記パッキン部は前記本体部と接触する接触面と、前記接触面と交差する端面とを含み、
前記緩衝部は前記端面から前記本体部側に突出していることを特徴とする請求項４に記載の冷蔵庫。
【請求項６】
前記緩衝部は前記端面に対して傾斜して前記本体部側に突出する傾斜部と、前記傾斜部に対して折れ曲がって前記本体部側に突出する当接部とを含むことを特徴とする請求項５に記載の冷蔵庫。
【発明の詳細な説明】
【技術分野】
【０００１】
この発明は冷蔵庫に関し、特に、貯蔵室の開口部を開閉する扉を備えた冷蔵庫に関する。
【背景技術】
【０００２】
従来、貯蔵室の開口部を開閉する扉を備えた冷蔵庫が知られている（例えば、特許文献１参照）。
【０００３】
特許文献１には、貯蔵室を有する本体部と、回動軸が鉛直であるとともに、回動することにより貯蔵室の開口部を開閉する扉と、扉を自閉させる扉開閉機構とを備えた冷蔵庫が開示されている。扉開閉機構は、扉を開いた際に扉を上昇させるスロープと、扉を下方に付勢する扉付勢部材とを有している。この冷蔵庫では、扉付勢部材により扉が下方に付勢されるとともに、スロープにより扉が閉じる方向に回動される。そして、扉が自閉することになる。
【先行技術文献】
【特許文献】
【０００４】
【特許文献１】特開２００９−４７３６１号公報
【発明の概要】
【発明が解決しようとする課題】
【０００５】
しかしながら、上記特許文献１では、扉は自閉機能を有するので、ドアポケットに重量物を収納して扉が重くなっている場合、慣性が増大し、扉を閉じた際の衝撃音や振動が大きくなるという問題点があった。
【０００６】
この発明は、上記のような課題を解決するためになされたものであり、この発明の目的は、扉を閉じた際の衝撃を抑制することが可能な冷蔵庫を提供することである。
【課題を解決するための手段】
【０００７】
上記目的を達成するために、この発明の冷蔵庫は、貯蔵室を有する本体部と、貯蔵室の開口部を開閉する扉と、を備え、扉の貯蔵室の開口部周縁に対応する部分には、貯蔵室の開口部周縁に接触するパッキン部と、扉を閉じる際の衝撃を吸収する緩衝部とが設けられている。
【０００８】
この発明の冷蔵庫では、扉の貯蔵室の開口部周縁に対応する部分には、扉を閉じる際の衝撃を吸収する緩衝部が設けられている。これにより、緩衝部により扉を閉じる際の衝撃を吸収することができるので、ドアポケットに重量物を収納して扉が重くなった場合であっても、扉を閉じた際の衝撃音や振動が大きくなるのを抑制することができる。
【０００９】
上記冷蔵庫において、好ましくは、扉を閉じる際に、パッキン部よりも前に緩衝部が本体部に接触する。このように構成すれば、緩衝部により扉の閉じる勢いを効果的に弱めることができるので、衝撃音や振動が大きくなるのを効果的に抑制することができる。
【００１０】
この場合、好ましくは、緩衝部はパッキン部よりも本体部側に突出するように形成されている。このように構成すれば、扉を閉じる際に、容易に、パッキン部よりも前に緩衝部を本体部に接触させることができる。
【００１１】
上記冷蔵庫において、好ましくは、緩衝部はパッキン部と一体に形成されている。このように構成すれば、緩衝部を設けても部品点数が増加することがなく、冷蔵庫の組立作業が煩雑になることもない。
【００１２】
上記緩衝部がパッキン部と一体に形成されている冷蔵庫において、好ましくは、パッキン部は本体部と接触する接触面と、接触面と交差する端面とを含み、緩衝部は端面から本体部側に突出している。このように構成すれば、緩衝部が本体部に当接した際に、パッキン部を押し広げることができる。これにより、パッキン部のクッション性を向上させることができるので、扉を閉じた際の衝撃音や振動が大きくなるのをより抑制することができる。
【００１３】
上記パッキン部が接触面と端面とを含む冷蔵庫において、好ましくは、緩衝部は端面に対して傾斜して本体部側に突出する傾斜部と、傾斜部に対して折れ曲がって本体部側に突出する当接部とを含む。すなわち、緩衝部は、くの字状に折れ曲がって形成されている。これにより、緩衝部が例えば一直線状に形成されている場合に比べて、緩衝部自体の強度を向上させることができる。このため、緩衝部が本体部に当接した際に、パッキン部を押し広げやすくできる。
【発明の効果】
【００１４】
本発明によると、扉の貯蔵室の開口部周縁に対応する部分には、扉を閉じる際の衝撃を吸収する緩衝部が設けられている。これにより、ドアポケットに重量物を収納して扉が重くなった場合であっても、扉を閉じた際の衝撃音や振動が大きくなるのを抑制することができる。
【図面の簡単な説明】
【００１５】
【図１】本発明の一実施形態の冷蔵庫の構造を概略的に示した正面図である。
【図２】本発明の一実施形態の冷蔵庫の扉が本体部に接触する直前の状態を示した側面断面図である。
【図３】本発明の一実施形態の冷蔵庫の構造を示した側面図である。
【図４】図３のＡ部拡大図である。
【図５】本発明の一実施形態の冷蔵庫の扉の緩衝部が本体部に接触した状態を示した側面断面図である。
【発明を実施するための形態】
【００１６】
以下、本発明の実施形態について図面を参照して説明する。なお、理解を容易にするために、断面図であってもハッチングを施さない場合がある。
【００１７】
＜第１実施形態＞
図１〜図５を参照して、本発明の一実施形態による冷蔵庫１の構造について説明する。冷蔵庫１は図１に示すように、断熱箱体からなる本体部２を備えている。本体部２には上側から順に、自閉機能を有する観音開きの扉３により開閉される冷蔵室４（貯蔵室）と、扉５ａにより開閉される製氷室５および扉６ａにより開閉される冷凍室６と、引出式の冷凍室７と、引出式の野菜室８とが設けられている。冷蔵室４は貯蔵物を冷蔵保存し、冷凍室６および７は貯蔵物を冷凍保存する。野菜室８は冷蔵室４よりも少し高い温度に維持され、野菜等の貯蔵物を冷蔵保存する。
【００１８】
本体部２は外箱２ａと、外箱２ａ内に配置される内箱２ｂと、外箱２ａおよび内箱２ｂの間に充填される発泡断熱材２ｃ（図２参照）とを含む。内箱２ｂは冷蔵室４等の内面を形成する。発泡断熱材２ｃは例えば硬質発泡ウレタンにより形成されている。
【００１９】
扉３Ｒおよび３Ｌは冷蔵室４の前面の開口部４ａの左右両側に配置されている。なお、以下の説明では、主として扉３Ｒについて説明するが、扉３Ｌは扉３Ｒを左右反転させたものと同様の構成であるので、その説明を省略する場合がある。
【００２０】
図３に示すように、扉３Ｒは回動軸が鉛直であるとともに、回動することにより冷蔵室４の開口部４ａを開閉する。具体的には、本体部２には扉３Ｒの上下を支持する上アングル１１及び下アングル１２が前方（図３の左側）に突出して取り付けられている。
【００２１】
上アングル１１は金属板から成り、扉３Ｒの回動軸となる軸部（図示せず）を有する軸部材１３が固定されている。扉３Ｒには軸部材１３が挿入される挿入孔（図示せず）が設けられている。図４に示すように、下アングル１２は金属板から成り、扉３Ｒの回動軸となる軸部（図示せず）を有する下ヒンジ部材１４が取り付けられている。扉３Ｒの下面には下ヒンジ部材１４に摺接する上ヒンジ部材１５が取り付けられている。これら下ヒンジ部材１４および上ヒンジ部材１５等によって、扉３Ｒを自閉させる自閉機構部１６が構成されている。
【００２２】
下ヒンジ部材１４の上面には回動中心Ｌ１を中心とする所定の角度範囲にスロープ１４ａが設けられている。上ヒンジ部材１５の上部は扉３Ｒに嵌合されており、上ヒンジ部材１５は扉３Ｒに一体となって回動する。上ヒンジ部材１５の下面には回動中心Ｌ１を中心とする所定の角度範囲にスロープ１５ａが設けられている。
【００２３】
扉３Ｒを閉じた状態では上ヒンジ部材１５のスロープ１５ａが下ヒンジ部材１４のスロープ１４ａに当接する。この時、扉３Ｒには自重により下方向の力が働いており、スロープ１４ａおよび１５ａにより扉３Ｒが閉じる方向に付勢される。従って、扉３Ｒの閉止状態を確実に維持することができる。
【００２４】
扉３Ｒを開くと、スロープ１４ａとスロープ１５ａとが摺動して扉３Ｒが自重に抗して持ち上げられる。扉３Ｒが所定角度回動すると、上ヒンジ部材１５が下ヒンジ部材１４の水平な最上面に乗り上げる。その後、上ヒンジ部材１５の水平な最下面が下ヒンジ部材１４の最上面と摺動して扉３Ｒが開かれる。
【００２５】
扉３Ｒを閉じる際には上ヒンジ部材１５の最下面が下ヒンジ部材１４の最上面と摺動した後、スロープ１４ａとスロープ１５ａとが摺動する。この時、扉３Ｒは自重によって自閉される。
【００２６】
図２に示すように、扉３のうちの冷蔵室４の開口部４ａ周縁に対応する部分には、冷蔵室４の開口部４ａ周縁に密着するパッキン部３ａと、扉３を閉じる際の衝撃を吸収する緩衝部３ｂとが設けられている。なお、緩衝部３ｂはパッキン部３ａと一体に形成されている。
【００２７】
パッキン部３ａおよび緩衝部３ｂは例えばゴムにより形成されている。パッキン部３ａおよび緩衝部３ｂには空洞が複数形成されており、圧縮変形可能になっている。パッキン部３ａには磁石３ｃが埋め込まれており、磁石３ｃの磁力によりパッキン部３ａの接触面３ｄが冷蔵室４の開口部４ａ周縁に密着（接触）する。
【００２８】
緩衝部３ｂは図３に示すように、扉３のうちの冷蔵室４の開口部４ａの上下２辺に対応する部分に設けられている。なお、緩衝部３ｂは、扉３のうちの開口部４ａの１辺、３辺または４辺に対応する部分に設けられていてもよい。
【００２９】
また、緩衝部３ｂは図２に示すように、パッキン部３ａよりも本体部２側に突出するように形成されている。これにより、扉３を閉じる際に、パッキン部３ａよりも前に緩衝部３ｂが本体部２に当接（接触）する。
【００３０】
パッキン部３ａは、接触面３ｄと交差するとともに接触面３ｄに繋がる端面（外周面）３ｅを含んでおり、緩衝部３ｂは端面３ｅから本体部２側に突出している。また、緩衝部３ｂは端面３ｅに対して傾斜して本体部２側に突出する傾斜部３ｆと、傾斜部３ｆに対して折れ曲がって本体部２側に突出する当接部３ｇとを含んでいる。
【００３１】
図５に示すように、緩衝部３ｂ（当接部３ｇ）が本体部２に当接すると、内部の空洞がつぶれることにより衝撃が吸収されるとともに、緩衝部３ｂとパッキン部３ａとの接続部分が曲がることによっても衝撃が吸収される。このとき、緩衝部３ｂが本体部２に当接し変形することにより、パッキン部３ａが外側に押し広げられる。これにより、パッキン部３ａのクッション性を向上させることが可能である。
【００３２】
本実施形態では、上記のように、扉３のうちの冷蔵室４の開口部４ａ周縁に対応する部分には、扉３を閉じる際の衝撃を吸収する緩衝部３ｂが設けられている。これにより、緩衝部３ｂにより扉３を閉じる際の衝撃を吸収することができるので、ドアポケットに重量物を収納して扉３が重くなった場合や、扉３を勢いよく閉じた場合であっても、扉３を閉じた際の衝撃音や振動が大きくなるのを抑制することができる。
【００３３】
また、上記のように、扉３を閉じる際に、パッキン部３ａよりも前に緩衝部３ｂが本体部２に当接（接触）する。これにより、緩衝部３ｂにより扉３の閉じる勢いを効果的に弱めることができるので、衝撃音や振動が大きくなるのを効果的に抑制することができる。
【００３４】
また、上記のように、緩衝部３ｂはパッキン部３ａよりも本体部２側に突出するように形成されている。これにより、扉３を閉じる際に、容易に、パッキン部３ａよりも前に緩衝部３ｂを本体部２に当接（接触）させることができる。
【００３５】
また、上記のように、緩衝部３ｂはパッキン部３ａと一体に形成されている。これにより、緩衝部３ｂを設けても部品点数が増加することがなく、冷蔵庫１の組立作業が煩雑になることもない。
【００３６】
また、上記のように、パッキン部３ａは本体部２と接触する接触面３ｄと、接触面３ｄと交差する端面３ｅとを含み、緩衝部３ｂは端面３ｅから本体部２側に向かって突出している。これにより、緩衝部３ｂが本体部２に当接した際に、パッキン部３ａを押し広げることができる。これにより、パッキン部３ａのクッション性を向上させることができるので、扉３を閉じた際の衝撃音や振動が大きくなるのをより抑制することができる。
【００３７】
また、上記のように、緩衝部３ｂは端面３ｅに対して傾斜して本体部２側に突出する傾斜部３ｆと、傾斜部３ｆに対して折れ曲がって本体部２側に突出する当接部３ｇとを含む。すなわち、緩衝部３ｂは、くの字状に折れ曲がって形成されている。これにより、緩衝部３ｂが例えば一直線状に形成されている場合に比べて、緩衝部３ｂ自体の強度を向上させることができる。このため、緩衝部３ｂが本体部２に当接した際に、パッキン部３ａを押し広げやすくできる。
【００３８】
上記実施形態では、観音開きの扉に本発明を適用した例について説明したが、片開きまたは両開きの扉にも適用可能である。また、本発明は、回動軸が鉛直の扉ではなく、引き出し式の扉にも適用可能である。
【００３９】
上記実施形態では、自閉機能を有する扉に本発明を適用した例について説明したが、自閉機能を有さない扉にも適用可能である。
【００４０】
また、上記実施形態では、緩衝部をパッキン部と一体に形成した例について示したが、緩衝部をパッキン部とは別体で形成してもよい。
【符号の説明】
【００４１】
１  冷蔵庫
２  本体部
３、３Ｒ、３Ｌ  扉
３ａ  パッキン部
３ｂ  緩衝部
３ｄ  接触面
３ｅ  端面
３ｆ  傾斜部
３ｇ  当接部
４  冷蔵室（貯蔵室）
４ａ  開口部
１６  自閉機構部
【図１】
2014013112.tif 000003
【図２】
2014013112.tif 000004
【図３】
2014013112.tif 000005
【図４】
2014013112.tif 000006
【図５】
2014013112.tif 000007